(57)【要約】      （修正有）【課題】テラヘルツ層の放出するテラヘルツ波を人体に吸収させることで、血液循環促進、新陳代謝増強、自律神経調節の効果を達成できる、テラヘルツ健康数珠を提供する。【解決手段】テラヘルツ健康数珠は、主に紐１と、該紐上に設置された複数の連結数珠２と、該紐上に設置された第１数珠３と、該連結数珠と該第１数珠表面上に設置された複数のテラヘルツ層４を含み、該第１数珠の両側に該連結数珠がそれぞれ連結され、使用者が該紐を首上に掛ける、または読経の際に使用する、あるいは人体付近の位置に配置したとき、該テラヘルツ層がテラヘルツ波４１を放出し、人体が該テラヘルツ波を吸収できる。【選択図】図３
0003225003.tif 000002
【実用新案登録請求の範囲】
【請求項１】
テラヘルツ健康数珠であって、主に、
紐と、
該紐上にそれぞれ設置された複数の連結数珠と、
該紐上に設置され、かつ両側にそれぞれ各該連結数珠が連接された第１数珠と、
各該連結数珠及び該第１数珠の表面上に形成された複数のテラヘルツ層と、
を含むことを特徴とする、テラヘルツ健康数珠。
【請求項２】
前記紐上に複数の仕切り数珠が設置され、かつ各該仕切り数珠の両側にそれぞれ各該連結数珠が連接されたことを特徴とする、請求項１に記載のテラヘルツ健康数珠。
【請求項３】
前記連結数珠の数量が１０８個であり、該仕切り数珠の数量が４個であることを特徴とする、請求項２に記載のテラヘルツ健康数珠。
【請求項４】
前記第１数珠の一側に少なくとも１つの第１延長数珠部材が設置され、該第１延長数珠部材が該紐上に設置され、かつ該テラヘルツ層が該第１延長数珠部材の表面上に形成されたことを特徴とする、請求項１に記載のテラヘルツ健康数珠。
【請求項５】
前記第１数珠と該第１延長数珠部材の間に第１連接数珠が連接され、かつ該第１連接数珠が該紐上に設置されたことを特徴とする、請求項４に記載のテラヘルツ健康数珠。
【請求項６】
前記第１延長数珠部材上に複数の第１球体と、複数の第１延長数珠と、第１接続数珠と、複数の第２球体と、第１垂下数珠が設置され、かつ各該第１球体、各該第１延長数珠、該第１接続数珠、各該第２球体、該第１垂下数珠が相互に連接され、該第１垂下数珠の寸法が該第１数珠より大きく、該第１数珠の寸法が各該連結数珠より大きく、各該連結数珠の寸法が各該第１延長数珠より大きく、各該第１延長数珠の寸法が各該第１球体及び各該第２球体より大きく、かつ該第１延長数珠部材の数量が３組であることを特徴とする、請求項４に記載のテラヘルツ健康数珠。
【請求項７】
前記紐上に第２数珠が設置され、該第２数珠の両係に各該連結数珠がそれぞれ連接され、かつ該テラヘルツ層が該第２数珠の表面上に形成されたことを特徴とする、請求項１に記載のテラヘルツ健康数珠。
【請求項８】
前記第２数珠の一側に複数の第２延長数珠が連接され、該第２延長数珠に第２連接数珠が連接され、該テラヘルツ層が該第２延長数珠の表面上に形成され、かつ該第２延長数珠及び該第２連接数珠が該紐上に設置されたことを特徴とする、請求項７に記載のテラヘルツ健康数珠。
【請求項９】
前記第２連接数珠の一側に少なくとも１つの第２延長数珠部材が連接され、該第２延長数珠部材が該紐上に設置され、かつ該テラヘルツ層が該第２延長数珠部材上に形成されたことを特徴とする、請求項８に記載のテラヘルツ健康数珠。
【請求項１０】
前記第２延長数珠部材上に複数の第３延長数珠と、第２接続数珠と、複数の第３球体と、第２垂下数珠が設置され、かつ各該第３延長数珠、該第２接続数珠、各該第３球体、該第２垂下数珠が相互に連接され、該第２垂下数珠の寸法が該第１数珠より大きく、該第１数珠の寸法が該第２数珠に等しく、該第２数珠の寸法が各該連結数珠より大きく、各該連結数珠の寸法が各該第３延長数珠より大きく、各該第３延長数珠の寸法が各該第３球体より大きく、かつ該第２延長数珠部材の数量が２組であることを特徴とする、請求項８に記載のテラヘルツ健康数珠。
【考案の詳細な説明】
【技術分野】
【０００１】
本考案は、血液循環促進、新陳代謝増強、自律神経調節の効果が得られる、テラヘルツ健康数珠に関する。
【背景技術】
【０００２】
従来、宗教関係者の多くが数珠を使用しているが、これら物品は人体の体内に対して実質的に役立つことはなく、精神的なサポートとなるのみであり、人体に悪影響はないものの、特に有益な点もない。数珠が生理機能を改善することができれば、身心の健康に役立つだけでなく、宗教関係者の歌頌や読経時により気力を高めることができる。
【考案の概要】
【考案が解決しようとする課題】
【０００３】
本考案は、テラヘルツ層の放出するテラヘルツ波を人体に吸収させることで、血液循環促進、新陳代謝増強、自律神経調節の効果を達成できる、テラヘルツ健康数珠を提供することを課題とする。
【課題を解決するための手段】
【０００４】
以下この考案について説明する。請求項１に記載するテラヘルツ健康数珠は、主に、紐と、該紐上に設置された第１数珠と、複数の連結数珠を含み、かつ該各連結数珠と該第１数珠の表面上にそれぞれテラヘルツ層が形成される。
【０００５】
請求項２に記載するテラヘルツ健康数珠は、請求項１における紐上に複数の仕切り数珠が設置され、かつ各該仕切り数珠の両側にそれぞれ各該連結数珠が連接される。
【０００６】
請求項３に記載するテラヘルツ健康数珠は、請求項２における連結数珠の数量が１０８個であり、該仕切り数珠の数量が４個である。
【０００７】
請求項４に記載するテラヘルツ健康数珠は、請求項１における第１数珠の一側に少なくとも１つの第１延長数珠部材が設置され、該第１延長数珠部材が該紐上に設置され、かつ該テラヘルツ層が該第１延長数珠部材の表面上に形成される。
【０００８】
請求項５に記載するテラヘルツ健康数珠は、請求項４における第１数珠と該第１延長数珠部材の間に第１連接数珠が連接され、かつ該第１連接数珠が該紐上に設置される。  
【０００９】
請求項６に記載するテラヘルツ健康数珠は、請求項４における第１延長数珠部材上に複数の第１球体と、複数の第１延長数珠と、第１接続数珠と、複数の第２球体と、第１垂下数珠が設置され、かつ各該第１球体、各該第１延長数珠、該第１接続数珠、各該第２球体、該第１垂下数珠が相互に連接され、該第１垂下数珠の寸法が該第１数珠より大きく、該第１数珠の寸法が各該連結数珠より大きく、各該連結数珠の寸法が各該第１延長数珠より大きく、各該第１延長数珠の寸法が各該第１球体及び各該第２球体より大きく、かつ該第１延長数珠部材の数量が３組である。
【００１０】
請求項７に記載するテラヘルツ健康数珠は、請求項１における前記紐上に第２数珠が設置され、該第２数珠の両係に各該連結数珠がそれぞれ連接され、かつ該テラヘルツ層が該第２数珠の表面上に形成される。
【００１１】
請求項８に記載するテラヘルツ健康数珠は、請求項７における前記第２数珠の一側に複数の第２延長数珠が連接され、該第２延長数珠に第２連接数珠が連接され、該テラヘルツ層が該第２延長数珠の表面上に形成され、かつ該第２延長数珠及び該第２連接数珠が該紐上に設置される。
【００１２】
請求項９に記載するテラヘルツ健康数珠は、請求項８における前記第２連接数珠の一側に少なくとも１つの第２延長数珠部材が連接され、該第２延長数珠部材が該紐上に設置され、かつ該テラヘルツ層が該第２延長数珠部材上に形成される。
【００１３】
請求項１０に記載するテラヘルツ健康数珠は、請求項８における前記第２延長数珠部材上に複数の第３延長数珠と、第２接続数珠と、複数の第３球体と、第２垂下数珠が設置され、かつ各該第３延長数珠、該第２接続数珠、各該第３球体、該第２垂下数珠が相互に連接され、該第２垂下数珠の寸法が該第１数珠より大きく、該第１数珠の寸法が該第２数珠に等しく、該第２数珠の寸法が各該連結数珠より大きく、各該連結数珠の寸法が各該第３延長数珠より大きく、各該第３延長数珠の寸法が各該第３球体より大きく、かつ該第２延長数珠部材の数量が２組である。
【考案の効果】
【００１４】
これにより、使用者が本考案の健康数珠を使用して読経するとき、手で紐上の連結数珠または第１数珠を握って従来の形式で読経するだけで、連結数珠及び第１数珠上に形成されたテラヘルツ層がテラヘルツ波を放出し、人体が連結数珠と第１数珠の放出するテラヘルツ波を自動的に吸収する。人体のテラヘルツ波量が上昇すると、体内の温度が上昇し、体内に根ざした病変細胞が修復・矯正され、これにより、体内の免疫力を高め、人体の代謝系統を改善し、自律神経を調節するとともに、気分が改善される。同時に、読経時に気力が高まり、宗教関係者は儀式に集中でき、読経時に気が散ったり、眠くなったりすることがなくなる。
【００１５】
また、使用者が読経をする必要がない場合も、本考案を首や手に装着したり、人体付近の位置に配置したりすることで、紐上の連結数珠及び第１数珠が同様に上述の構造の作用により、テラヘルツ波を継続的に放出し、人体内の生理機能を改善させることができる。テラヘルツ層は随時テラヘルツ波を放出しているため、本考案を携帯しているだけで身体に役立ち、体内細胞を活性化させることで、血液循環促進、新陳代謝増強、自律神経調節の効果を得ることができる。
【図面の簡単な説明】
【００１６】
【図１】好ましい実施例の立体図である。
【図２】好ましい実施例の断面図である。
【図３】好ましい実施例の読経時の使用状況を示す概略図である。
【図４】好ましい実施例の首に掛けた使用状況を示す概略図である。
【図５】好ましい実施例の装着時の使用状況を示す概略図である。
【図６】別の好ましい実施例の立体図である。
【図７】さらに別の好ましい実施例の立体図である。
【図８】また別の好ましい実施例の立体図である。
【考案を実施するための形態】
【実施例１】
【００１７】
図１と図２に示すように、本考案のテラヘルツ健康数珠は、紐１と、複数の連結数珠２と、第１数珠３と、複数のテラヘルツ層４を含み、そのうち、該連結数珠２及び該第１数珠３が該紐１上に設置され、該テラヘルツ層４が該連結数珠２及び該第１数珠３の表面上に形成される。このほか、本実施例において、該連結数珠２の数量は１０８個を例とし、かつ各連結数珠２と該第１数珠３はいずれも該紐１を穿通するための穿通孔１１を備えている。本実施例において、該連結数珠２の数量は１０８個を例とする。
【００１８】
図１から図５に示すように、該テラヘルツ層４は随時テラヘルツ波４１を放出しており、人体が該テラヘルツ波４１の放出範囲内に位置するだけで吸収することができる。宗教関係者は読経時、数珠が身体から遠くない位置にあるため、読経と同時にテラヘルツ層４が放出するテラヘルツ波４１を吸収する。
【００１９】
テラヘルツ波４１はエネルギー波の一種であり、テラヘルツ波４１とは周波数０.１ｔｈｚ〜１０ｔｈｚの範囲の電磁波を指し、その波長は０.０３ｍｍ〜３ｍｍの間である。つまり、その波長がマイクロ波の終点と赤外線波の起点の間にあり、大部分の生物がテラヘルツ波４１を放出・吸収しており、人類も例外ではない。
【００２０】
テラヘルツ波４１が放出する周波数は、生命誕生根源の波動であり、人体に極めて有利な量子波である。嬰児の出生時、そのテラヘルツ波４１放射量は非常に大きいが、成長に伴いテラヘルツ波４１の放射量は徐々に減少し、人が死亡したときその遺体の放射量はマイクロワットレベルに低下する。このことか分かるように、人類体内のテラヘルツ波４１の放射量から、人の生命力の強さを判断することができる。
【００２１】
このほか、人体が自ら放射するテラヘルツ波４１と、外在的テラヘルツ波４１が接触すると共鳴が発生し、体内の水分子が活性化されて振動を開始し、水クラスターの体積が徐々に小さくなり、それにより人体の皮下深層組織に影響を与え、毛細血管の拡張を引き起こし、血液循環促進、新陳代謝増強、自律神経調節等の有益な効果をもたらす。このため、身体の免疫力及び自己治癒能力が向上される。
【００２２】
テラヘルツ波４１は上述の効果のほか、さらに次の利点を備えている。核酸タンパク質等人体中の分子を活性化し、機能の回復およびバランスに有利であり、疾病の防止・治療の目的を達成する。生物体内の細胞食作用機能を高め、人体の細胞性能を増強し、人体の健康に有利である。末梢神経の興奮性を抑制し、血液循環を改善してむくみを減らし、末梢神経の化学および機械的刺激を軽減する。皮膚内の毒素を効果的に排出し、しみを緩和するとともに、にきびなどのよくある皮膚亜健康状態を予防する。
【００２３】
宗教関係者が読経するとき、長時間座っていたり立っていたりすることで筋肉痛等の問題が発生しやすいが、上述のテラヘルツ波４１の人体に対する改善を通じて、筋肉痛を緩和することができる。また、宗教関係者が疲労や元気が出ないと感じたときも、テラヘルツ波４１で気力を回復させることができる。このため、読経の儀式で精神的な救済と慰藉を得るだけではなく、身体内の機能に対しても本質的な変化を与え、心身ともに昇華を得ることができる。
【００２４】
このほか、読経が必要でない場合、使用者は紐１を首にかけたり、手に装着したりして身体上に装用するか、あるいは人体付近の位置に配置することで、第１数珠３と連結数珠２上のテラヘルツ層に同様にテラヘルツ波４１を放出させ、人体の体内機能系統を改善することができる。隔てられた距離がテラヘルツ波４１の放射範囲内であれば、人体の血液循環促進、新陳代謝増強、自律神経調節の効果を得ることができる。
【００２５】
図６に示すように、第１数珠３ａの一側に別途少なくとも１つの第１延長数珠部材５ａを設置し、かつ第１数珠３ａと第１延長数珠部材５ａの間に第１連接数珠８１ａが連接され、テラヘルツ層４ａが第１延長数珠部材５ａの表面上に形成される。本実施例において、各第１延長数珠部材５ａは複数の第１延長数珠５１ａと第１垂下数珠５２ａを備え、第１延長数珠部材５ａの数量は２組を例とし、第１延長数珠５１ａの数量は１０個を例とし、連結数珠２ａは上述の実施例のように１０８個を例とする。
【００２６】
上述の構造により、本考案で異なる態様の数珠を形成し、異なる使用者のニーズに対応させることができる。本実施例は異なる実施態様の例を挙げたのみであり、その大きさおよび排列方式は限定されない。
【実施例２】
【００２７】
図７に示すように、紐１ｂ上に複数の仕切り数珠６ｂと、第２数珠７ｂが設置され、仕切り数珠６ｂの両側にそれぞれ連結数珠２ｂが連接され、第２数珠７ｂの両側に同様に連結数珠２ｂが連接される。本実施例の仕切り数珠６ｂは透明の球体を例とするが、これに限らない。
【００２８】
第１数珠３ｂの一側に少なくとも１つの第１連接数珠８１ｂが連接され、第１連接数珠８１ｂの第１数珠３ｂから離れた一側に少なくとも１つの第１延長数珠部材５ｂが連接され、第１連接数珠８１ｂと第１延長数珠部材５ｂは紐１ｂ上に設置される。このほか、各第１延長数珠部材５ｂが複数の第１球体５３ｂと、複数の第１延長数珠５１ｂと、第１接続数珠５４ｂと、複数の第２球体５５ｂと、第１垂下数珠５２ｂを備え、かつ第１連接数珠８１ｂの一側に第１球体５３ｂが連接され、第１球体５３ｂの一側に第１延長数珠５１ｂが連接され、第１延長数珠５１ｂの一側に第１接続数珠５４ｂが連接され、第１接続数珠５４ｂの一側に第２球体５５ｂが連接され、第２球体５５ｂの一側に第１垂下数珠５２ｂが連接される。
【００２９】
第２数珠７ｂの一側に複数の第２延長数珠７１ｂが連接され、該第２延長数珠７１ｂの一側に第２連接数珠８２ｂが連接され、該第２連接数珠８２ｂの一側に少なくとも１つの第２延長数珠部材９ｂが連接され、第２延長数珠７１ｂ、第２連接数珠８２ｂ、第２延長数珠部材９ｂは該紐１ｂ上に設置される。このほか、各第２延長数珠部材９ｂが複数の第３延長数珠９１ｂと、第２接続数珠９２ｂと、複数の第３球体９３ｂと、第２垂下数珠９４ｂを備え、該第２連接数珠８２ｂの一側に該第３延長数珠９１ｂが連接され、該第３延長数珠９１ｂの一側に該第２接続数珠９２ｂが連接され、該第２接続数珠９２ｂの一側に該第３球体９３ｂが連接され、該第３球体９３ｂの一側に該第２垂下数珠９４ｂが連接される。
【００３０】
テラヘルツ層４ｂは第１数珠３ｂ、第２数珠７ｂ、連結数珠２ｂ、第１延長数珠５１ｂ、第２延長数珠７１ｂ、第３延長数珠９１ｂ、第１接続数珠５４ｂ、第２接続数珠９２ｂ、第１球体５３ｂ、第２球体５５ｂ、第３球体９３ｂ、第１垂下数珠５２ｂ、第２垂下数珠９４ｂの表面上に形成される。
【００３１】
第１垂下数珠５２ｂと第２垂下数珠９４ｂの寸法が等しく、第１数珠３ｂと第２数珠７ｂの寸法が等しく、第１延長数珠５１ｂ、第２延長数珠７１ｂ、第３延長数珠９１ｂの寸法が等しく、第１球体５３ｂ、第２球体５５ｂ、第３球体９３ｂの寸法が等しい。かつ第１垂下数珠５２ｂの寸法が第１数珠３ｂより大きく、第１数珠３ｂの寸法が連結数珠２ｂより大きく、連結数珠２ｂの寸法が第１延長数珠５１ｂより大きく、第１延長数珠５１ｂの寸法が第１球体５３ｂより大きい。
【００３２】
第１延長数珠部材５ｂの数量は３組を例とし、第２延長数珠部材９ｂの数量は２組を例とし、連結数珠２ｂの数量は１０８個であり、かつ仕切り数珠６ｂが複数の第１仕切り数珠６１ｂと複数の第２仕切り数珠６２ｂを含み、第１仕切り数珠６１ｂと第２仕切り数珠６２ｂそれぞれの数量がいずれも２個であり、第２数珠７ｂと第１仕切り数珠６１ｂ間の連結数珠２ｂの数量が７個であり、第１仕切り数珠６１ｂと第２仕切り数珠６２ｂ間の連結数珠２ｂの数量が１４であり、第２仕切り数珠６２ｂと第１数珠３ｂ間の連結数珠２ｂの数量が３３である。
【００３３】
本実施例の構造は、「創価学会インタナショナル（ｓｇｉ）」で使用される数珠の構造であり、創価学会インタナショナルは所属者が多いため、このような数珠を使用して読経する人数は数え切れないが、上述のテラヘルツ層４ｂの構造を通じて、創価学会の所属者、またはこのような数珠の使用者が、数珠の使用時に血液循環促進、新陳代謝増強、自律神経調節の効果を得ることができ、それを通じて世界のより多くの宗教関係者に恩恵をもたらすことができる。
【実施例３】
【００３４】
図８に示すように、連結数珠２ｃの数量は５４個とし、第１延長数珠５１ｃの数量は６個としてもよい。本実施例は単に連結数珠２ｃを異なる個数とした実施態様であり、数量は限定されないことを表明しておく。
【符号の説明】
【００３５】
１、１ｂ    紐
１１    穿通孔
２、２ａ、２ｂ、２ｃ    連結数珠
３、３ａ、３ｂ    第１数珠
４、４ａ、４ｂ    テラヘルツ層
４１    テラヘルツ波
５ａ、５ｂ    第１延長数珠部材
５１ａ、５１ｂ、５１ｃ    第１延長数珠
５２ａ、５２ｂ    第１垂下数珠
５３ｂ    第１球体
５４ｂ    第１接続数珠
５５ｂ    第２球体
６ｂ    仕切り数珠
６１ｂ    第１仕切り数珠
６２ｂ    第２仕切り数珠
７ｂ    第２数珠
７１ｂ    第２延長数珠
８１ａ、８１ｂ    第１連接数珠
８２ｂ    第２連接数珠
９ｂ    第２延長数珠部材
９１ｂ    第３延長数珠
９２ｂ    第２接続数珠
９３ｂ    第３球体
９４ｂ    第２垂下数珠
【図１】
0003225003.tif 000003
【図２】
0003225003.tif 000004
【図３】
0003225003.tif 000005
【図４】
0003225003.tif 000006
【図５】
0003225003.tif 000007
【図６】
0003225003.tif 000008
【図７】
0003225003.tif 000009
【図８】
0003225003.tif 000010